(57)【要約】      （修正有）【課題】容器内の内容物を圧縮するための圧縮機構に関して、容器の蓋、および容器を挿入するドッキングステーションに容易に組み込むことが可能な圧縮装置を提供する。【解決手段】蓋構造装置は、モーメントアーム構造体を備え、モーメントアーム構造体は、回転により、圧縮板３０を圧縮する内容物に対して下方に向けて押し下げ、かつ圧縮板３０を受動待機位置に引き上げる。モーメントアーム構造体は、蓋と一体化されていることが好ましく、相対的に短い短アーム部分（４８ａ、４８ｂ）にしっかりと連結された相対的に長い長アーム部分（４０ａ、４０ｂ）を有し、モーメントアーム構造体は、蓋に回動自在に設けられている。案内体６０は、モーメントアーム構造体の回転により圧縮板３０が下方へ押圧されたときおよび上方へ引き上げられたときに、圧縮板３０を安定させる。【選択図】図３
2014177352.tif 000002
【特許請求の範囲】
【請求項１】
容器の内容物を圧縮するための蓋構造装置であって、前記内容物を圧縮するために前記内容物に対して下方に向けて圧力を加える、蓋に一体化された要素（３０）が設けられた蓋構造装置において、
モーメントアーム構造体を備え、
前記モーメントアーム構造体は、回動動作により、前記要素（３０）を能動圧縮位置に押し下げ、かつ前記要素（３０）を受動待機位置に引き上げ、
前記モーメントアーム構造体は、第２の短モーメントアーム部分（４８ａ、４８ｂ）にしっかりと連結された第１の長モーメントアーム部分（４０ａ、４０ｂ）を有し、前記短モーメントアーム部分の端部は、前記要素（３０）に連結され、
前記第１および第２のモーメントアーム部分（４０ａ、４０ｂ；４６ａ、４６ｂ）は、互いに連結されるとともに、回転の軸（４４）を介して蓋構造に回動自在に取り付けられ、
前記第１および第２のモーメントアーム部分（４０ａ、４０ｂ；４６ａ、４６ｂ）がなす角度αは、９０°乃至１５０°の範囲であることを特徴とする蓋構造装置。
【請求項２】
前記長モーメントアーム部分（４０ａ、４０ｂ）および前記短モーメントアーム部分（４６ａ、４６ｂ）がなす角度αは、約１２０°であることを特徴とする請求項１記載の蓋構造装置。
【請求項３】
前記第２のモーメントアーム部分（４６ａ、４６ｂ）は、ヒンジ連結された連結アーム（５０）を介して板状（３０）の圧縮要素に連結され、前記連結アーム（５０）は、その一端で前記短モーメントアーム部分（４８）に動作可能に取り付けられ、その他端で、前記板状（３０）の圧縮要素に回動可能に取り付けられていることを特徴とする請求項１または２記載の蓋構造装置。
【請求項４】
前記回転の軸（４４）を介して連結された相互に協働する２つのモーメントアーム構造体によって特徴付けられており、前記２つの長モーメントアーム部分（４０ａ、４０ｂ）は、それらの自由端においてハンドルバー（３９）によって相互に連結されていることを特徴とする請求項１乃至３のいずれか一項記載の蓋構造装置。
【請求項５】
前記圧縮要素の上方および下方への動作を案内する案内体（６０）が設けられていることを特徴とする請求項１乃至４のいずれか一項記載の蓋構造装置。
【請求項６】
前記案内体は入れ子式構造からなり、前記入れ子式構造の２つの端部（６０ａ；６０ｃ）は、それぞれ前記容器の蓋（１２）および前記圧縮要素（３０）の上面に固定され、前記案内体は、複数の介在入れ子部品（６０ｂ）、とりわけ１つの介在入れ子部品（６０ｂ）を有することを特徴とする請求項１乃至５のいずれか一項記載の蓋構造装置。
【請求項７】
前記案内体は、２つの前記長アーム部分を蓋に固定する点（４２）の間において、前記圧縮板の要素（３０）に設けられていることを特徴とする請求項１乃至６のいずれか一項記載の蓋構造装置。
【請求項８】
前記入れ子部品は、四角管からなることを特徴とする請求項１乃至７のいずれか一項記載の蓋構造装置。
【請求項９】
前記圧縮板（３０）に、前記容器の内部断面に対応する圧縮面が形成され、前記容器が底部に向けて下方に先細となる場合、前記板は、前記容器の底部の断面領域に対応する断面領域を有することを特徴とする請求項１乃至８のいずれか一項記載の蓋構造装置。
【請求項１０】
前記圧縮要素（３０）は、網または格子形状を有することを特徴とする請求項１乃至９のいずれか一項記載の蓋構造装置。
【請求項１１】
廃棄物容器用のドッキングステーション装置において、
ａ）前記容器を前記ステーションに対して位置決めおよび中心決めする機構と、
ｂ）前記ステーション内に配置され、前記容器の内容物を圧縮する圧縮機構を有する一体化された蓋構造と、
ｃ）完全な開放位置と前記容器の開口上に下がった位置との間で、前記ステーションの前記蓋構造を回動させる装置とを備えたことを特徴とするドッキングステーション装置。
【請求項１２】
容器用のベース板（７０）と、先端に蓋構造（１２）が回動可能に取り付けられた直立した支柱（８０）と、廃棄物容器を前記ステーションで中心決めする機構（１００）と、前記蓋を、前記ステーションにおいて前記容器上に下げられた位置（図６）と、跳ね上げられた位置（図７）との間で回動させるための器具（１２０）とを有することを特徴とする請求項１１記載のドッキングステーション装置。
【請求項１３】
前記中心決めする機構は、２つの略平行に向けられた中心決めアーム（１００）を有し、前記中心決めアーム（１００）は、互いに距離を空けて前記支柱（８０）に取り付けられるとともに、前記容器周囲を掴んで把持するように設けられ、これにより前記容器を前記ステーションの固定位置に保持することを特徴とする請求項１１または１２記載のドッキングステーション装置。
【請求項１４】
前記蓋構造を回動させる装置は、前記蓋内において棚部（３２）とフレーム部材（１３３）との間に挿入された圧力シリンダーまたは張力ばねのような張力部材を有し、
前記蓋（１２）を張力に抗して前記容器１０上に下げるように回転した所定位置に保持するため、前記蓋（１２）を前記支柱に対して解放可能に取り付ける構造内において、レール部（１２６）に係合するように設けられたロックスリットまたは溝１２４とともに揺動するロック錠（１２０）が設けられていることを特徴とする請求項１１乃至１３のいずれか一項記載のドッキングステーション装置。
【請求項１５】
前記ロック錠は、作動ハンドルの補助によりレール部（１２６）から解放されることを特徴とする請求項１１乃至１３のいずれか一項記載のドッキングステーション装置。
【請求項１６】
前記圧縮機構を有する前記一体化された蓋構造は、請求項１乃至１０のいずれか一項記載の蓋構造装置の構成からなることを特徴とする請求項１１乃至１３のいずれか一項記載のドッキングステーション装置。
【請求項１７】
とりわけ家庭廃棄物、残留廃棄物、堆肥廃棄物、園芸から出た小枝および枝等の袋を用いる通常の廃棄物容器内で廃棄物を取り扱うための、請求項１乃至１０のいずれか一項記載の蓋構造装置の利用。
【請求項１８】
ドッキングステーション装置内における、請求項１乃至１０のいずれか一項記載の蓋構造装置の利用であって、前記ドッキングステーション装置は、廃棄物容器を配置するためのステーション棚を有し、蓋が置かれたとき圧縮機能が実行され、前記廃棄物容器が取り除かれて次の利用者のためにドッキングステーション装置の準備が整えられるようになっている、蓋構造装置の利用。
【請求項１９】
１つ以上の圧縮する蓋が利用可能な、例えば共通するゴミ捨て場内において配置される解放された蓋としての、請求項１乃至１０のいずれか一項記載の蓋構造装置の利用であって、容器（１１２）の蓋が跳ね上げられて開放され、圧縮蓋（１２）が配置されて容器（１０）の開口端に連結され、その圧縮機能が発揮され、かつ前記圧縮蓋は、廃棄物が圧縮される次の容器のために再び取り外される、蓋構造装置の利用。
【発明の詳細な説明】
【技術分野】
【０００１】
本発明は、後の請求項１の導入部に見られるように、容器の内容物を圧縮するための蓋構造装置であって、内容物を圧縮するために内容物に対して下方に向けて圧力を加える、蓋に関連する要素が設けられた蓋構造装置に関する。
【０００２】
本発明は、更に廃棄物容器を貯蔵および充填するためのドッキングステーション装置の新規な構造に関する。蓋構造装置の利用についても記載されている。
【背景技術】
【０００３】
上述したタイプの組み込まれた蓋構造の解決策は従来より存在し、ここでは板形状の圧縮要素が、この板を下方へ押圧して圧縮機能を果たすねじ棒に連結されている。ねじ棒は、蓋内において、対応する形状のねじ穴内を介して下方へねじ込まれる。この場合、ねじ棒の下端は、板の上面において座部に回転可能に取り付けられ、圧縮機能を発揮する。
【０００４】
廃棄物を圧縮するための上述したタイプの解決策は、例えばドイツ特許ＤＥ２７１５２６号および米国特許ＵＳ５１２４１２６号により知られている。
【発明の概要】
【発明が解決しようとする課題】
【０００５】
本件で「容器」とは、とりわけ、家庭廃棄物、堆肥廃棄物、園芸から出た小枝および枝等の廃棄物を一時的に貯蔵するために用いられる容器をいうが、これに限定されるものではない。小枝および一般的な園芸廃棄物は、このような容器内に置かれた場合多くのスペースを取ることが知られており、圧縮によりそれを節約することは明らかである。
【０００６】
しかしながら、本発明は、上述した物／廃棄物タイプまたは容器タイプに限定されるべきではなく、様々な異なる圧縮される物を貯蔵する容器に概括的に関係するものである。
【０００７】
本発明は、とりわけ、このような容器内の内容物を圧縮するための、蓋装置における新規な圧縮構造を提供することを目的とする。
【０００８】
本発明の目的は更に、従来知られた手法と比べて、蓋構造に対して容易に組み込むことが可能な圧縮手法を提供することにある。
【０００９】
本発明の目的は更に、容器の蓋構造における圧縮機構であって、より多くの内容物（廃棄物）を入れる余地があるように、容器の内容物（廃棄物）を圧縮可能な圧縮機構を提供することにある。
【００１０】
さらに、本発明の目的は、廃棄物容器が挿入されたドッキングステーション装置に連結可能であり、蓋が置かれて容器の内容物が圧縮される、圧縮機構を有する蓋構造を提供することにある。
【００１１】
さらに、本発明の目的は、廃棄物容器用の新規なドッキングステーション装置を提供することにある。
【００１２】
廃棄物回収業者によって空にされる廃棄物容器に関する場合、容器により多くの廃棄物を入れる解決策を提供することを目的とする。このような容器を空にする必要がある回数は、利用者が廃棄物回収業者／地方自治体に支払う料金に影響する。仮に、容器がより多くの廃棄物または廃棄物処理袋を入れることができれば、それに応じて、廃棄物回収業者に関するコストを減らすことができる。
【課題を解決するための手段】
【００１３】
本発明による装置は、モーメントアーム構造体を備え、モーメントアーム構造体は、回転により、圧縮要素を能動圧縮位置に押し下げ、その後、それを受動待機位置に引き上げることを特徴とする。
【００１４】
とりわけ好ましいのは、蓋と一体化されているモーメントアーム構造体である。モーメントアーム構造体は、相対的に短い短アーム部分にしっかりと連結された相対的に長い長アーム部分を有し、モーメントアーム構造体は、蓋に回動自在に設けられている。
【００１５】
好ましい実施の形態によれば、長アーム部分および短アーム部分は、互いに約１２０°の角度αをなしている。
【００１６】
好ましい実施の形態によれば、モーメントアーム構造体は、ヒンジ連結された連結アームを介して要素に作用するようになっており、連結アームは、部分的に移動および回転できるように、その一端で短アーム部分に回動可能に取り付けられ、連結アームの他端は、板状の圧縮要素に回動可能に取り付けられている。
【００１７】
好ましい実施の形態によれば、装置は、相互に協働する２つのモーメントアーム構造体を備えており、２つのモーメントアーム構造体は、２つの長アーム部分を有し、２つの長アーム部分は、それらの自由端においてハンドルに対して相互に連結されている。
【００１８】
好ましい実施の形態によれば、装置は、圧縮要素の上方および下方への動作を案内する案内体を有している。案内体は入れ子式構造からなり、入れ子式構造の２つの端部は、それぞれ容器の蓋および圧縮要素の上面に固定され、案内体は、複数の介在された入れ子部品、とりわけ１つの介在された入れ子部品を有する。
【００１９】
入れ子部品は、四角管からなる。案内体は、好ましくは２つの長アーム部分の間において、板要素に取り付けられている。
【００２０】
圧縮要素は、好ましくは容器の内部断面に対応する圧縮板を有する板部材からなり、容器が底部に向けて下方に先細となる場合、板は、容器の底部の断面領域に対応する表面領域を有しても良い。圧縮要素は、好ましくは網または格子形状を有する。
【００２１】
本発明によるドッキングステーション装置は、請求項１２に特徴付けられるように、
ａ）容器をステーションに対して位置決めおよび中心決めする機構と、
ｂ）ステーション内に配置され、容器の内容物を圧縮する圧縮機構を有する一体化された蓋構造と、
ｃ）完全な開放位置と容器の開口に下がった位置との間で、ステーションの蓋構造を回動させる装置とを備えたことを特徴とする。
【００２２】
本発明によるドッキングステーション装置の好ましい実施の形態は、従属請求項１３乃至１８に見られる。
【００２３】
ドッキングステーション装置は、圧縮機構を有する一体化された蓋構造は、請求項１乃至１２による蓋構造装置の構成からなることをとりわけ特徴とする。
【００２４】
本発明によれば、本発明は、とりわけ家庭廃棄物、残留廃棄物、堆肥廃棄物、園芸から出た小枝および枝等の袋を用いる典型的な廃棄物容器内で廃棄物を取り扱うために利用される。
【００２５】
本発明によれば、本発明は、廃棄物容器を配置するためのステーション棚を有し、蓋が置かれたとき圧縮機能が実行され、廃棄物容器が取り除かれて次の利用者のためにドッキングステーション装置の準備が整えられるようになっている、ドッキングステーション装置内において利用される。
【００２６】
本発明によれば、本発明は、１つ以上の圧縮する蓋が利用可能な、例えば共通するゴミ捨て場内において配置される解放された蓋として利用され、容器の蓋が跳ね上げられて解放され、圧縮蓋が配置されて容器の開口端に連結され、その圧縮機能が発揮され、かつ圧縮蓋は、廃棄物が圧縮される次の容器のために再び取り外されるように利用される。
【００２７】
本発明による一連の効果が存在する。製造しやすい。高さが低く、蓋自体に一体化されているため構成および操作が容易である。メンテナンスおよび修理の必要性が最小である。さらに、容器が底部に向けて先細となっているので、全廃棄物を容易に取出して空にすることができる。圧縮板のストロークは、家庭ごみを圧縮する手段としては通常２５ｃｍ以内に制限され、これは、縛られたごみ袋から廃棄物が無理に外に出ることを防げるようになっている。
【００２８】
本発明の試験によれば、圧縮アームの作動時に、ユーザーの３０ｋｇの力により、廃棄物を圧縮する圧縮板が約２５０ｋｇの圧縮力を与えることを示す。これは、約５０％の圧縮量が得られることを意味し、すなわち、もし初めに８つの袋が容器に存在すれば、圧縮動作の後、さらに８つの袋を容器内に置くことができる。
【００２９】
本発明の他の利点は、清潔に維持しやすいことであり、単に蓋を跳ね上げることにより、完全にアクセスすることができ、例えば、ホースで水を掛けたり、洗ったり、または他の何らかの洗浄を行うことができる。
【００３０】
本発明によれば、本装置は、とりわけ家庭廃棄物、堆肥廃棄物、園芸から出た小枝および枝等に用いられる典型的な廃棄物容器内で廃棄物を取り扱うために利用される。
【００３１】
添付図面を参照して、本発明をより詳細に説明する。
【図面の簡単な説明】
【００３２】
【図１Ａ】図１Ａは、上方から見た、本発明の好ましい実施の形態による圧縮装置の蓋を示す斜視図であり、蓋内部構造における動作アームを示す図である。
【図１Ｂ】図１Ｂは、動作アーム４０ｂが圧縮を実行するために回転したときの偏向角を示す図である。図１Ｂはまた、回転動作開始時における動作アーム４０ｂの好ましい初期位置を示している。
【図２】図２は、下方から見た、本発明の好ましい実施の形態による圧縮装置の蓋を示す斜視図であり、蓋内部構造における動作アームを示し、蓋底部に配置された物のための圧縮板を示す。
【図３】図３は、蓋内部における圧縮機構の構成を示す斜視図である。圧縮機構は、蓋内部における受動待機位置（図１および図２）から、動作ハンドルが左方に揺動された能動圧縮位置に再調整される。
【図４】図４は、本発明による蓋の部分斜視図であり、蓋を例えば家庭用の一般的な廃棄物容器に適用した図である。
【図５】図５は、図４と同様の対応する側面図であるが、内容物を圧縮するために圧縮板が能動圧縮位置となるように、作動ハンドル（以下、ハンドルと表記する）が再調整されている。
【図６】図６は、ドッキングステーション内における回転蓋部材として適合された、本発明の圧縮機構を有する蓋の斜視図である。蓋を有する従来の廃棄物容器がドッキングステーション内に配置され、その蓋部材が容器開口上に配置されて容器内の物を圧縮する。
【図７】図７もまた、ドッキングステーション内に配置された容器を示す概略図であり、図示の便宜上容器の一部が切断され、かつドッキングステーションの蓋が開放位置に跳ね上げられている。
【図８】図８は、図３に示す蓋の動作機構を示す図であり、加えて、ドッキングステーション内で蓋がどのように回転可能に固定されているかを示している。
【発明を実施するための形態】
【００３３】
まず、図４を参照して本発明を説明するが、この図は、蓋１２、ホイール１４および押しハンドル１５を有する廃棄物容器１０を示す斜視図である。容器の蓋１２は、１９においてヒンジ結合され、図において、容器開口を閉じるように倒伏して示されている。蓋１２は、倒伏してロッキング環または捕捉機構により閉じられる。容器が動かされるとき、使用者はハンドル１５を掴み、容器を後方に揺動させて、ホイール１４のみによって支持されて運び去れるようにする。
【００３４】
蓋１２は、図１および図２において側壁４１とともに示されているが、屋根またはドーム形状を有しており、本発明による圧縮機構を内部に含むことが可能である。内部において、蓋はモーメントアームを有し、このモーメントアームは、容器内に配置された廃棄物を圧縮する圧縮板が設けられた入れ子式の案内体に連結されている。
【００３５】
容器１０は、通常、頂部が最も大きく、底部に向けて先細となる。大部分の容器はこのような一般的な形状を有するが、いくつかのものは、内部において頂部の大きさが底部の大きさと同等であるような、真っ直ぐな側壁を有する。
【００３６】
図４に示すように、容器１０内には、廃棄物を入れたいくつかの樹脂袋１６（環形状で示す）が配置されている。各袋１６の周囲には、多くの空間または「空気」１８が存在することが見られ、かつ、この体積を減少するために、容器内において手で袋を下方へまとめて押し込むことができる。
【００３７】
本発明によれば、蓋１２内に形成されているのは、容器内で内容物（袋１６）を圧縮するために用いられる上述した構成である。板または格子３０は、袋１６の内容物をまとめて下方へ押圧するように構成されている。
【００３８】
蓋構造１２は、横切って設けられたハンドルバー３９を有する回転ハンドルを有し、ハンドルバー３９の各端部からは、アーム部分４０ａ、４０ｂが蓋壁部４１の取付部４２に向かってそれぞれ延びている。取付部４２の間において、回転の軸４４が、側壁から蓋の内部中空空間を介して他方の側壁に延びている。ハンドル３０が持ち上げられたとき、回転アーム４０ａ、４０ｂが回転し、軸４４が取付部４２の周りを回転する。側壁内部において、相対的に短いアーム部分が、軸４４にしっかりと固定されている。この結果として、２組のアーム部分４０ａ、４６ａおよび４０ｂ、４６ｂは、それぞれ互いにしっかり連結され、モーメント付与ロッドにおいてアーム部分を定める。それぞれの短アーム部分４６ａ、４６ｂは、組の中で相対的に短いモーメントアームを形成し、長アーム部分４０ａ、４０ｂは、組の中で相対的に長いモーメントアームを形成する。
【００３９】
アーム４０ａ、４０ｂが力Ｆにより回転したとき、短モーメントアームの端部４８ａ、４８ｂが本体に対して力を及ぼすことにより力が増幅し、これが圧縮力を生ずる。基本的な原理は、力×アーム（長さ）＝モーメントである。本発明によれば、このような増幅された力が、蓋内部の機構に取り付けられた圧縮板３０に伝わり、廃棄物を押圧する。
【００４０】
互いにしっかりと連結された、長モーメントアーム４０および短モーメントアーム４６は、互いに約１２０°の角度αを形成する（図４および図５参照）。２つのアーム間の角度αは、好ましくは９０°乃至１５０°の範囲とすることができる。
【００４１】
連結アーム５０ａおよび５０ｂは、それぞれ圧縮板３０上面の連結点５２ａ、５２ｂにおいて、端部４８ａ、４８ｂを短モーメントアーム４６ａ、４６ｂに連結する。連結アーム５０ａ、５０ｂはともに、その一端において、それぞれヒンジボルト４９ａ、４９ｂを介して各アーム部分４６ａ、４６ｂに各々回動可能に連結され、かつその他端において、第２の組のヒンジボルト５３ａ、５３ｂを介して連結ブラケット５２ａ、５２ｂに各々回動可能に連結される。
【００４２】
アーム部分４０が、軸４４が回転されるよう受動位置から能動位置へ弧状に回転するとき、短モーメントアーム４６は下方に弧状に揺動し（図２の位置から図３の位置へ）、連結アーム５０が下方へ押し下げられて圧縮板３０が下方へ導かれる。アーム５０は、短モーメントアーム４６と圧縮板３０の上ブラケット５３との両方にヒンジ連結されているので、図４および図５に示すように、アーム５０は柔軟であって鉛直方向に対する角度を変えることができる。
【００４３】
このような構成について、利用者により加えられる力と圧縮要素に対して生じる力との比率は、以下のとりわけ好ましい態様により変化する。動作のはじめには、利用者からの強い力は、圧縮要素３０自体に対してわずかな力しか生じない。揺動サイクルの最後には、利用者からの弱い力が、圧縮要素に対するより強い力を与える。利用者からの最小限の力で圧縮要素に強い力を与えることが必要となるのは、動作の最後であるから、このことはとりわけ好ましいのである。動作の最初においては、廃棄物の圧縮は始まったばかりである。
【００４４】
図１乃至図４に示すように、ハンドルアーム４０の揺動動作は、軸点４２のいずれかの側にあるそれぞれアーム４０ｂのための２つの接触面４３および４５（主たる蓋の頂面レベルより下方に凹んでいる）が、図１Ｂに示すように互いに約１４０°乃至１８０°の水準の角度βをなすように輪郭が形成された、蓋の頂面によって制限される。蓋の頂面の角度が１８０°であることは、蓋の凹んだ面４３および４５が完全に平らであることを意味する。アーム４０は、その初期位置において、図１Ｂにまた示すように、水平に対して約１０°乃至３０°の水準の角度γをなすことが好ましい。使用者が腕を前方に伸ばしてハンドル３９を把持したとき、使用者は、腕が自然に上方に振られるため、ハンドルを上方に垂直に持ち上げるだけでなく、自身を真っ直ぐ引くことにより、動作を開始することができる。
【００４５】
はじめは、１組の長モーメントアーム４０および短モーメントアーム４６と、１つの機構用中間板とがあれば、十分作動することができる。しかしながら、１組だけでは板の水平位置を保証できず、何らかのものが機能に対して有害な影響を与えうる。
【００４６】
したがって、本発明においては、図３に記載された解決策が好ましい。２つの平行な（長い）モーメントアーム４０ａ、４０ｂは、２つの関連する平行な（短い）モーメントアームにしっかりと連結されており、かつこれらは、その分離した連結アーム５０ａおよび５０ｂを介して、それぞれ圧縮板３０の上面に連結されている。すなわち、２つのモーメントアームは、以下に説明するように、１以上の案内体（６０ａ、６０ｂ、６０ｃ）がある側の、圧縮板３０の上面に取り付けられている。
【００４７】
図３、図４および図５に示す案内体６０は、モーメントアーム４０の回転により圧縮板３０が下方へ押圧されたときおよび上方へ引き上げられたときに、圧縮板３０を安定させるものである。案内体６０は、３つの入れ子部材からなる入れ子式形状の要素を含む。第１の固定された入れ子部材６０Ａは、図４には示されていないが、符号６１における下面において、蓋１２に対して固定されている。中間の入れ子部材６０Ｂは、伸長可能であるとともに第１の入れ子部材６０Ａに対して同軸状に縮退可能となるように構成されている。最も内側の入れ子部材６０Ｃは、その下端において円盤形状板部材３１を介して圧縮板３０の上面に固定されている。入れ子部材は、それ自体公知の態様に更に構成されていても良く、中間および下部の入れ子部材６０Ｂ、６０Ｃが緩まないように停止端等を有しても良い。
【００４８】
図３に示すように、円盤形状板部材３１は（入れ子ロッド６０Ｃの底部において）、圧縮板３０の上面にしっかりと固着されており、かつ圧縮板がその水平位置を保持することを保証する。頂部において、入れ子部材６０Ｃは、入れ子部材６０Ｃが蓋の頂部においてジョイントを介して移動可能となるように設けられており、これにより入れ子部材（６０ａ−６０ｃ）の縮退および圧縮板３０が鉛直方向に移動するようになっている。さらに、圧縮板３０は、水平位置に安定するべき状態以上には動かないようになっている。
【００４９】
好ましい実施の形態によれば、入れ子部品は四角管からなり、これにより四角管と板とが相互に回転しないようになっている。
【００５０】
入れ子式構造を用いる利点としては、それが完全に縮退したとき（図３）、入れ子式構造は蓋の下方にその完全に伸長した長さの１／３だけ延びていることである。それゆえ、縮退したとき、図２に示すように、圧縮板とともに蓋の下側内部にぴったり収まる。蓋は、圧縮板３０が蓋１７の縁の下部に引き上げられ、モーメントアームが受動位置に固定可能となるように、手動で動作されるロック構造を有する。このロック構造は、アーム４０の動作が妨げられないように利用者が引き戻すロックボルト（図示せず）からなっていてもよい。
【００５１】
コンパクトな入れ子式構造およびハンドルバーを設けたことの他の大きな利点が存在する。蓋が上方に跳ね上がるとき、蓋のヒンジ点より更に後方に突出する部分が存在しないことである（図７参照）。したがって、蓋が上方に跳ね上がるとき蓋が壁に接近することなくドッキングステーションを壁にぶつかるように配置させることができる。
【００５２】
本発明によれば、圧縮要素３０は、容器の内部断面に対応する圧縮面を有する板要素からなる。それゆえ、容器が空になったとき全廃棄物を容易に取出して空にすることができるよう、容器が底部に向けて下方に先細となることが好ましく、この場合、板要素は、容器の底部の横断面領域に対応する表面領域を有する。圧縮要素３０は、更に網または格子形状を有していても良い。
【００５３】
本発明による蓋構造装置の使用
はじめに図４を参照すると、利用者は、ハンドルを掴むとともにこれを利用者自身の方に引き、ハンドルを図５に示す位置にアーチ状に揺動させる。それに応じて、短モーメントアーム４６は下方にアーチ状に回動し、入れ子部材６０が引き延ばされ、板３０が下方に押圧されてその最下部の位置へ達する。圧縮が完了したとき、利用者はハンドル３９を図４に示す位置へ押し戻し、圧縮板は縮退位置となる。
【００５４】
本発明による圧縮機構を有する蓋は、２つの方法に用いることができる。
１：廃棄物容器の蓋の一部として。この使用方法を図１乃至図５に示す。
【００５５】
２：各利用者ごとに特別に構成されたドッキングステーションに適しており、ここで容器が利用者の下に置かれたとき、蓋は容器の開口上に下げられる。
【００５６】
使用可能な２つめの方法を、図６、図７および図８を参照して以下に説明する。
【００５７】
圧縮機構の蓋は、ドッキングステーションにおいて最上部に配置され、以下これを詳細に説明する。
【００５８】
棚は、ベース板７０と、先端に蓋構造１２が回動可能に取り付けられた直立した支柱８０と、廃棄物容器をドッキングステーション内で中心決めする機構１００と、蓋をその容器内の位置（図６）と、その跳ね上げられた位置（図７）との間で揺動させるための器具１２０とを有している。
【００５９】
要素７０、８０、１００、１２０は図７に明確に示されている。
【００６０】
ベース板７０は地面の上に載置され、廃棄物容器は板の上へ転動する。鉛直なトラス構造からなるフレーム支柱８０は、ベース板の後端に取り付けられている。互いに離間した２つの略平行に向けられた中心決めアーム１００が、支柱に取り付けられている。廃棄物容器が板の上へ転動され、アーム１００がしっかりと安定し、かつ廃棄物容器の約半分までその周囲を把持するように強制され、これにより廃棄物容器はステーションに安定して保持される。ドッキングステーションの蓋が使用されるとき、容器の蓋１３０は上方に回動し、かつ図６に点線で概括的に示すように外面に沿って下方に落ちる。
【００６１】
蓋は、棚の頂部に回転可能に取り付けられる。２つの相互に平行なアーム１３０ａ、１３０ｂは、蓋１２の背部、すなわち容器１０の操作ハンドル１７の反対側から延びている。これらのアームは、支柱の頂部においてフレーム構造体１３２に回動自在に設けられており、水平軸１３４の周りを回動する。
【００６２】
図７は、蓋１２がその開放位置に跳ね上げられており、この場合、容器内部に自由にアクセスすることができる。蓋１２をこの位置に安定して保持するため、蓋のアーム１３０ａ、１３０ｂ内で、棚フレーム１３２とフレーム部材１３３との間に圧力シリンダー１３６が取り付けられている。圧力シリンダー１３６は、蓋が下方に回転して容器上に配置されたとき（図６）、圧力がかかり（シリンダー空間内の圧力が増加し）、蓋が開放位置に跳ね上げられたとき（図７）、圧力が解放される（シリンダー空間内の圧力が減少する）。
【００６３】
圧力シリンダー１３６に代えて、同様に機能する張力ばねを用いることもできる。
【００６４】
蓋１２が容器１０上に下方に揺動したとき蓋１２を所定位置に保持するため、支柱８０の上側部分は、揺動して解放されうる、プレストレスが加えられたロック錠を有している。この錠１２１は、板形状体からなり、その下端１２３において棚に取り付けられており、その上部は、蓋１２を支柱に取り付ける構造内で、水平レール１２６内に係合するようになっているロックスリットまたは溝１２４を有し、これによりピストン／ばねが最大の圧力となったとき、蓋は容器上で閉位置に固定されるようになっている。その下端において、ロック錠１２１は、蓋が容器の上に配置されるとき、レールに向けたロック位置に揺動するように強制するばねの力に抗して、軸１２３の周りを揺動する。
【００６５】
ハンドル１００を操作することにより、ロック錠１２０は作動されかつ揺動する。利用者がハンドルを下方に押し下げたとき、錠１２０のスリット１２２は、揺動してロックレールとの係合が外れ、圧力シリンダー／ばねはその押圧力を解放し、かつ蓋を図７に示す開放位置に跳ね上げる。
【００６６】
これにより、利用者は、ハンドル１００を操作して、利用者が廃棄物を容器内に置くことができるよう蓋を跳ね上げることにより、廃棄物容器を容易に取り扱うことができる。その後、利用者は、ばねの抗力に抗して蓋を再度下方に押し下げる。
【００６７】
このような創作力のある機構により、蓋は、圧縮板３０とともにその下方位置に固定され、容器内の廃棄物が下方への圧力を受けるようになっている。これは、復元力があり、すなわち物が原形状に戻る場合、廃棄物／物を圧縮することの助けとなる。
【００６８】
いくつかこのような作業を行った後、容器が満たされ始めたとき、利用者はさらにハンドル１９を引き、圧縮板が下方に移動して中身を一緒に押圧するようにする。
【図１Ａ】
2014177352.tif 000003
【図１Ｂ】
2014177352.tif 000004
【図２】
2014177352.tif 000005
【図３】
2014177352.tif 000006
【図４】
2014177352.tif 000007
【図５】
2014177352.tif 000008
【図６】
2014177352.tif 000009
【図７】
2014177352.tif 000010
【図８】
2014177352.tif 000011
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
容器の内容物を圧縮するための蓋構造装置であって、前記内容物を圧縮するために前記内容物に対して下方に向けて圧力を加える、蓋に一体化された要素（３０）が設けられた蓋構造装置において、
モーメントアーム構造体を備え、
前記モーメントアーム構造体は、回動動作により、前記要素（３０）を能動圧縮位置に押し下げ、かつ前記要素（３０）を受動待機位置に引き上げ、
前記モーメントアーム構造体は、第２の短モーメントアーム部分（４８ａ、４８ｂ）にしっかりと連結された第１の長モーメントアーム部分（４０ａ、４０ｂ）を有し、前記短モーメントアーム部分の端部は、前記要素（３０）に連結され、
前記第１および第２のモーメントアーム部分（４０ａ、４０ｂ；４６ａ、４６ｂ）は、互いに連結されるとともに、回転の軸（４４）を介して蓋構造に回動自在に取り付けられ、
前記第１および第２のモーメントアーム部分（４０ａ、４０ｂ；４６ａ、４６ｂ）がなす角度αは、９０°乃至１５０°の範囲である、蓋構造装置であって、
前記圧縮要素の上方および下方への動作を案内する案内体（６０）が設けられ、
前記案内体は入れ子式構造からなり、前記入れ子式構造の２つの端部（６０ａ；６０ｃ）は、それぞれ前記容器の蓋（１２）および前記圧縮要素（３０）の上面に固定され、前記案内体は、複数の介在入れ子部品（６０ｂ）、とりわけ１つの介在入れ子部品（６０ｂ）を有することを特徴とする蓋構造装置。
【請求項２】
前記長モーメントアーム部分（４０ａ、４０ｂ）および前記短モーメントアーム部分（４６ａ、４６ｂ）がなす角度αは、約１２０°であることを特徴とする請求項１記載の蓋構造装置。
【請求項３】
前記第２のモーメントアーム部分（４６ａ、４６ｂ）は、ヒンジ連結された連結アーム（５０）を介して板状（３０）の圧縮要素に連結され、前記連結アーム（５０）は、その一端で前記短モーメントアーム部分（４８）に動作可能に取り付けられ、その他端で、前記板状（３０）の圧縮要素に回動可能に取り付けられていることを特徴とする請求項１または２記載の蓋構造装置。
【請求項４】
前記回転の軸（４４）を介して連結された相互に協働する２つのモーメントアーム構造体によって特徴付けられており、前記２つの長モーメントアーム部分（４０ａ、４０ｂ）は、それらの自由端においてハンドルバー（３９）によって相互に連結されていることを特徴とする請求項１乃至３のいずれか一項記載の蓋構造装置。
【請求項５】
前記案内体は、２つの前記長アーム部分を蓋に固定する点（４２）の間において、前記圧縮板の要素（３０）に設けられていることを特徴とする請求項１乃至４のいずれか一項記載の蓋構造装置。
【請求項６】
前記入れ子部品は、四角管からなることを特徴とする請求項１乃至５のいずれか一項記載の蓋構造装置。
【請求項７】
前記圧縮板（３０）に、前記容器の内部断面に対応する圧縮面が形成され、前記容器が底部に向けて下方に先細となる場合、前記板は、前記容器の底部の断面領域に対応する断面領域を有することを特徴とする請求項１乃至６のいずれか一項記載の蓋構造装置。
【請求項８】
前記圧縮要素（３０）は、網または格子形状を有することを特徴とする請求項１乃至７のいずれか一項記載の蓋構造装置。
【請求項９】
廃棄物容器用のドッキングステーション装置において、
ａ）前記容器を前記ステーションに対して位置決めおよび中心決めする機構と、
ｂ）前記ステーション内に配置され、前記容器の内容物を圧縮する圧縮機構を有する一体化された蓋構造と、
ｃ）完全な開放位置と前記容器の開口上に下がった位置との間で、前記ステーションの前記蓋構造を回動させる装置とを備え、
前記圧縮機構を有する前記一体化された蓋構造は、請求項１乃至８のいずれか一項記載の蓋構造装置の構成からなることを特徴とするドッキングステーション装置。
【請求項１０】
容器用のベース板（７０）と、先端に蓋（１２）が回動可能に取り付けられた直立した支柱（８０）と、廃棄物容器を前記ステーションで中心決めする機構（１００）と、前記蓋を、前記ステーションにおいて前記容器上に下げられた位置（図６）と、跳ね上げられた位置（図７）との間で回動させるための器具（１２０）とを有することを特徴とする請求項９記載のドッキングステーション装置。
【請求項１１】
前記中心決めする機構は、２つの略平行に向けられた中心決めアーム（１００）を有し、前記中心決めアーム（１００）は、互いに距離を空けて前記支柱（８０）に取り付けられるとともに、前記容器周囲を掴んで把持するように設けられ、これにより前記容器を前記ステーションの固定位置に保持することを特徴とする請求項９または１０記載のドッキングステーション装置。
【請求項１２】
前記蓋構造を回動させる装置は、前記蓋内において棚部（３２）とフレーム部材（１３３）との間に挿入された圧力シリンダーまたは張力ばねのような張力部材を有し、
前記蓋（１２）を張力に抗して前記容器１０上に下げるように回転した所定位置に保持するため、前記蓋（１２）を前記支柱に対して解放可能に取り付ける構造内において、レール部（１２６）に係合するように設けられたロックスリットまたは溝１２４とともに揺動するロック錠（１２０）が設けられていることを特徴とする請求項９乃至１１のいずれか一項記載のドッキングステーション装置。
【請求項１３】
前記ロック錠は、作動ハンドルの補助によりレール部（１２６）から解放されることを特徴とする請求項９乃至１１のいずれか一項記載のドッキングステーション装置。
【請求項１４】
とりわけ家庭廃棄物、残留廃棄物、堆肥廃棄物、園芸から出た小枝および枝等の袋を用いる通常の廃棄物容器内で廃棄物を取り扱うための、請求項１乃至８のいずれか一項記載の蓋構造装置の利用。
【請求項１５】
ドッキングステーション装置内における、請求項１乃至８のいずれか一項記載の蓋構造装置の利用であって、前記ドッキングステーション装置は、廃棄物容器を配置するためのステーション棚を有し、蓋が置かれたとき圧縮機能が実行され、前記廃棄物容器が取り除かれて次の利用者のためにドッキングステーション装置の準備が整えられるようになっている、蓋構造装置の利用。
【請求項１６】
１つ以上の圧縮する蓋が利用可能な、例えば共通するゴミ捨て場内において配置される解放された蓋としての、請求項１乃至８のいずれか一項記載の蓋構造装置の利用であって、容器（１１２）の蓋が跳ね上げられて開放され、圧縮蓋（１２）が配置されて容器（１０）の開口端に連結され、その圧縮機能が発揮され、かつ前記圧縮蓋は、廃棄物が圧縮される次の容器のために再び取り外される、蓋構造装置の利用。
【手続補正２】
【補正対象書類名】図面
【補正対象項目名】図４
【補正方法】変更
【補正の内容】
【図４】
2014177352.tif 000012
【手続補正３】
【補正対象書類名】図面
【補正対象項目名】図５
【補正方法】変更
【補正の内容】
【図５】
2014177352.tif 000013